(57)【特許請求の範囲】
【請求項１】
路側無線装置を介して無線で送信され、有効期限情報を含む配信情報を受信する通信手段と、
前記通信手段により受信された前記配信情報を複数記憶する記憶手段と、
前記配信情報を表示する表示手段と、
前記記憶手段に記憶されている複数の配信情報のうち前記表示手段に表示させる配信情報の選択指示を受け付ける入力手段と、
前記通信手段により受信した前記配信情報を識別する識別情報、前記有効期限情報、前記配信情報毎に前記記憶手段に記憶された配信情報が削除されたか否かを示す削除フラグを含む複数の情報から成る管理情報群を生成し、当該管理情報群を前記記憶手段に記憶させ、
前記入力手段により配信情報が選択指示された場合、前記管理情報群を参照して当該選択指示された配信情報の識別情報に対応する有効期限情報を読み出し、当該有効期限情報と現在の日時情報とを比較して、前記現在の日時情報が前記選択指示された配信情報の有効期限情報よりも後の日時である場合、当該比較結果に応じたメッセージを生成し、当該メッセージを前記表示手段に表示させ、
前記入力手段により当該配信情報を削除する選択指示があり、且つ、当該配信情報に当該配信情報を基準とした遷移先となる配信情報がある場合には、当該配信情報を削除すると遷移先となる配信情報が表示されなくなることを示すメッセージを前記表示手段に表示させると共に、当該配信情報を削除するか否かの選択指示を前記入力手段により受け付け、
当該配信情報を削除する選択指示がある場合、前記管理情報群における当該配信情報の削除フラグを削除された状態に設定し、前記記憶手段に記憶されている当該配信情報を削除する制御手段と、
を備える車載器。
【請求項２】
前記制御手段は、
前記入力手段により配信情報が選択指示された場合、前記管理情報群を参照して当該選択指示された配信情報の削除フラグが削除された状態に設定されている場合、
当該配信情報は削除されたことを示すメッセージを前記表示手段に表示させる、
請求項１に記載の車載器。
【請求項３】
前記制御手段は、
前記比較結果が、前記現在の日時情報が前記選択指示された配信情報の有効期限情報よりも後の日時である場合、当該配信情報が削除可能か否かを判別する、
請求項１又は２に記載の車載器。
【請求項４】
前記制御手段は、
前記配信情報が削除可能か否かの判別は、当該配信情報を基準とした遷移先となる配信情報が無い場合、又は、当該配信情報を基準とした遷移先となる全ての配信情報の有効期限情報が現在の日時情報よりも後の日時である場合、削除可能と判別する、
請求項３に記載の車載器。
【請求項５】
路側無線装置を介して無線で送信され、有効期限情報を含む配信情報を受信する通信手段と、
ＵＲＬにより指定された情報格納場所と無線通信する無線通信手段と、
前記通信手段により受信された前記配信情報を複数記憶する記憶手段と、
前記配信情報を表示する表示手段と、
前記記憶手段に記憶されている複数の配信情報のうち前記表示手段に表示させる配信情報の選択指示を受け付ける入力手段と、
前記入力手段により選択指示された配信情報の有効期限情報と現在の日時情報とを比較し、当該比較結果に応じたメッセージを生成し、当該メッセージを前記表示手段に表示させると共に、前記比較結果が、前記現在の日時情報が前記選択指示された配信情報の有効期限情報よりも後の日時である場合、当該配信情報に前記ＵＲＬが含まれている場合には、前記無線通信手段を用いて当該ＵＲＬにより指定された情報格納場所から前記現在の日時情報よりも後の有効期限情報を有する当該配信情報を取得し、前記記憶手段に記憶されている当該配信情報を更新する制御手段と、
を備える車載器。
【請求項６】
前記制御手段は、
前記比較結果が、前記現在の日時情報が前記選択指示された配信情報の有効期限情報よりも前の日時、又は、後の日時である場合、前記メッセージを前記表示手段に表示させると共に、当該配信情報を表示させるか否かの選択指示を前記入力手段により受け付ける、
請求項１から５の何れか一項に記載の車載器。
【発明の詳細な説明】
【技術分野】
【０００１】
本発明は、車載器に関する。
【背景技術】
【０００２】
近年、ＤＳＲＣ（登録商標）（Dedicated Short Range Communication）等を利用して路上に設置された路側無線装置と狭域無線通信を行い、当該路側無線装置を介してセンター装置から情報提供を受けることが可能な車載器がある。
【０００３】
このような車載器を用いたシステムとしては、車両が路側無線装置の通信範囲内にある間のみ、車両に搭載された車載器と路側無線装置との双方向通信が可能となり、この間にセンター装置が路側無線装置を介して、配信情報（例えば、周辺の店舗や医療機関の情報、広告等）を配信するものがある。
【０００４】
例えば、配信された配信情報を記憶することにより、路側装置と通信できない環境においても、当該配信情報を再生可能とする車載器が開示されている（特許文献１参照）。
【特許文献１】特開２００７−１０９０３２号公報
【発明の開示】
【発明が解決しようとする課題】
【０００５】
車載器が受信する配信情報には、当該情報の有効期限が定められたものがある。ある配信情報を表示する際、当該配信情報の遷移先となる配信情報が存在する場合には、遷移先となる配信情報を表示させるボタンを生成するが、このとき、遷移先となる配信情報の有効期限の情報を参照し、当該有効期限と現在の日時と比較して、遷移先となる配信情報は現在有効な情報か否かを判別し、当該判別結果に応じて表示するボタンの形状や色彩等をかえて表示することが検討されている。
【０００６】
しかしながら、単にボタンの形状や色彩をかえるだけでは、次に表示させる配信情報は有効期限前なのか有効期限が過ぎてしまった（有効期限切れ）のかがユーザにとってわかりにくいという問題がある。また、有効期限切れの配信情報は、基本的に有効期限切れ後は保存しておく必要性が無いため、有効期限切れ後に自動的に削除されてしまうおそれがあり、有効期限切れ前には見えた配信情報を有効期限切れ後には再度ユーザが見ることができない場合がある。
【０００７】
本発明の課題は、上記問題に鑑みて、有効期限の情報が付加された配信情報を表示する際の利便性を高めることである。
【課題を解決するための手段】
【０００８】
請求項１に記載の発明は、路側無線装置を介して無線で送信され、有効期限情報を含む配信情報を受信する通信手段と、前記通信手段により受信された前記配信情報を複数記憶する記憶手段と、前記配信情報を表示する表示手段と、前記記憶手段に記憶されている複数の配信情報のうち前記表示手段に表示させる配信情報の選択指示を受け付ける入力手段と、前記通信手段により受信した前記配信情報を識別する識別情報、前記有効期限情報、前記配信情報毎に前記記憶手段に記憶された配信情報が削除されたか否かを示す削除フラグを含む複数の情報から成る管理情報群を生成し、当該管理情報群を前記記憶手段に記憶させ、前記入力手段により配信情報が選択指示された場合、前記管理情報群を参照して当該選択指示された配信情報の識別情報に対応する有効期限情報を読み出し、当該有効期限情報と現在の日時情報とを比較して、前記現在の日時情報が前記選択指示された配信情報の有効期限情報よりも後の日時である場合、当該比較結果に応じたメッセージを生成し、当該メッセージを前記表示手段に表示させ、前記入力手段により当該配信情報を削除する選択指示があり、且つ、当該配信情報に当該配信情報を基準とした遷移先となる配信情報がある場合には、当該配信情報を削除すると遷移先となる配信情報が表示されなくなることを示すメッセージを前記表示手段に表示させると共に、当該配信情報を削除するか否かの選択指示を前記入力手段により受け付け、当該配信情報を削除する選択指示がある場合、前記管理情報群における当該配信情報の削除フラグを削除された状態に設定し、前記記憶手段に記憶されている当該配信情報を削除する制御手段と、を備える車載器である。
【００１２】
請求項２に記載の発明は、請求項１に記載の車載器において、前記制御手段は、前記入力手段により配信情報が選択指示された場合、前記管理情報群を参照して当該選択指示された配信情報の削除フラグが削除された状態に設定されている場合、当該配信情報は削除されたことを示すメッセージを前記表示手段に表示させる。
【００１３】
請求項３に記載の発明は、請求項１又は２に記載の車載器において、前記制御手段は、前記比較結果が、前記現在の日時情報が前記選択指示された配信情報の有効期限情報よりも後の日時である場合、当該配信情報が削除可能か否かを判別する。
【００１４】
請求項４に記載の発明は、請求項３に記載の車載器において、前記制御手段は、前記配信情報が削除可能か否かの判別は、当該配信情報を基準とした遷移先となる配信情報が無い場合、又は、当該配信情報を基準とした遷移先となる全ての配信情報の有効期限情報が現在の日時情報よりも後の日時である場合、削除可能と判別する。
【００１５】
請求項５に記載の発明は、路側無線装置を介して無線で送信され、有効期限情報を含む配信情報を受信する通信手段と、ＵＲＬにより指定された情報格納場所と無線通信する無線通信手段と、前記通信手段により受信された前記配信情報を複数記憶する記憶手段と、前記配信情報を表示する表示手段と、前記記憶手段に記憶されている複数の配信情報のうち前記表示手段に表示させる配信情報の選択指示を受け付ける入力手段と、前記入力手段により選択指示された配信情報の有効期限情報と現在の日時情報とを比較し、当該比較結果に応じたメッセージを生成し、当該メッセージを前記表示手段に表示させると共に、前記比較結果が、前記現在の日時情報が前記選択指示された配信情報の有効期限情報よりも後の日時である場合、当該配信情報に前記ＵＲＬが含まれている場合には、前記無線通信手段を用いて当該ＵＲＬにより指定された情報格納場所から前記現在の日時情報よりも後の有効期限情報を有する当該配信情報を取得し、前記記憶手段に記憶されている当該配信情報を更新する制御手段と、を備える車載器である。
【００１６】
請求項６に記載の発明は、請求項１から５の何れか一項に記載の車載器において、前記制御手段は、前記比較結果が、前記現在の日時情報が前記選択指示された配信情報の有効期限情報よりも前の日時、又は、後の日時である場合、前記メッセージを前記表示手段に表示させると共に、当該配信情報を表示させるか否かの選択指示を前記入力手段により受け付ける。
【発明の効果】
【００１７】
本発明によれば、有効期限の情報が付加された配信情報を表示する際の利便性を高めることができる。
【発明を実施するための最良の形態】
【００１８】
［実施の形態１］
まず、構成を説明する。
図１に、本実施の形態１における配信システム１００の構成図を示す。
配信システム１００は、図１に示すように、車両Ｃに搭載された車載器１０、路側無線装置２０、センター装置３０を含んで構成され、センター装置３０が路側無線装置２０を介して車載器１０に配信情報を配信する。
路側無線装置２０は路上や駐車場等に設置され、各路側無線装置２０はネットワークＮ１を介してセンター装置３０と接続されている。また、路側無線装置２０と、車両Ｃの車載器１０とは無線通信が可能である。
【００１９】
なお、配信情報とは、店舗の広告や駐車場、医療施設の案内等のコンテンツ（テキスト情報、画像情報、音情報）の他、コンテンツを提供する事業者に関する情報、コンテンツの有効期限の情報（例えば、有効期限の開始と終了の日時）、サービスを提供可能な対象地点の情報（例えば、広告している店舗の地点を示す緯度経度や店舗名等）、指定したコンテンツの通知を行うポップアップの再生をする地点（例えば、ポップアップの再生地点を示す緯度経度、ポップアップを再生する道路種別や車両の進入方向を指定する情報等）、コンテンツの表示画面の遷移情報（次に表示する画面を指定する情報等）、嗜好情報等を含む情報である。詳細は後述する。
【００２０】
図１では１台のセンター装置３０のみ示したが、配信情報を配信する配信事業者は複数あり、センター装置３０は配信事業者毎に備えられるものであってもよい。
【００２１】
以下、各構成装置について詳細に説明する。
路側無線装置２０は、図２に示すように本体装置２０ａとアンテナ２０ｂとから構成されている。路側無線装置２０は、道路脇、道路上方又は駐車場脇等に設置されたアンテナ２０ｂから、到達距離が限定されたＤＳＲＣの電波を放射して、路側無線装置２０近傍に路側エリアＺを形成する。この路側エリアＺ内にある車両Ｃの車載器１０とだけ双方向狭域無線通信が可能となる。以下、路側無線装置２０と車載器１０間の狭域無線通信を路車間通信という場合がある。
【００２２】
ＤＳＲＣは５．８ＧＨｚ帯域の電波を使った通信方式であり、その通信範囲は例えば数メートルから数十メートルである。路側無線装置２０からのＤＳＲＣの送信出力は何れも同じ程度に設定されているので、複数の路側無線装置２０がそれぞれ形成する路側エリアＺは設置場所に関係なく、ほぼ一定である。
【００２３】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信された配信情報を車載器１０へ転送する。本体装置２０ａは、情報処理や通信制御を行う制御部、記憶部等を備えたコンピュータ端末を適用することができる。
【００２４】
車載器１０は、車両Ｃに搭載され、搭載された車両Ｃを目的地へ誘導するための処理等を行うナビゲーション機能の他、ＤＳＲＣによるＥＴＣ（登録商標）（Electronic Toll Collection System）利用のための処理を行う機能等を有している。
【００２５】
図３に、路側無線装置２０から車載器１０に配信（送信）される配信情報のデータ構成例を示す。以下、１まとまりの配信情報を情報グループと称す。図３に示すように、配信される配信情報は１又は複数の情報グループから成る。この情報グループは、情報の内容により分類された識別符号（ＩＤ）により特徴付けられた複数の情報を持つ。また、情報グループは通常カーナビにおいて表示されるコンテンツの１ページ分に対応するように作成される。
【００２６】
図４に、各ＩＤの情報の概要を示す。
図４に示すように、ＩＤ毎に情報の内容が分類されている。
「ＩＤ００」の情報は、情報グループが持つＩＤの一覧を示す（記述する）。ここで、それぞれの情報グループは必ずしも全てのＩＤを持つわけではなく必要なＩＤのみを持つ。例えば、ある情報グループはＩＤ００〜０５により特徴付けられた情報を持ち、また別のある情報グループはＩＤ００〜ＩＤ０５、ＩＤ１０、ＩＤ３０により特徴付けられた情報を持つ。尚、ＩＤ００、ＩＤ０１、ＩＤ０２は基本的な情報であり、全ての情報グループは、これらのＩＤの情報を持つ。
【００２７】
「ＩＤ０１」の情報は、事業者の情報を示す。具体的に、「ＩＤ０１」の情報は、「サービス事業者コード」、「サービス事業者表示テキスト」、「サービス事業者表音文字列」を含む。「サービス事業者コード」とは、ＤＳＲＣの運用を管理する団体で規定されたコードで、サービス事業者毎にユニークに割り付けられる。このコードに基づいて、サービス事業者を特定できる。「サービス事業者表示テキスト」とは、ナビ表示用サービス事業者名（サービス名）テキスト情報であり、サービス事業者をＩＴＳ車載器の利用者に通知する目的で使用される。「サービス事業者表音文字列」とは、ナビ発話用サービス事業者名（サービス名）表音文字列であり、サービス事業者やサービス名称等をＩＴＳ車載器の利用者に音声で通知する際に用いられる。
【００２８】
「ＩＤ０２」の情報は、コンテンツの情報を示す。具体的に、「ＩＤ０２」の情報は、「情報提供企業コード」、「情報提供企業表示テキスト」、「情報提供企業表音文字列」、「情報コード」、「情報表示テキスト」、「情報表音文字列」、「嗜好データカテゴリ」を含む。「情報提供企業コード」とは、コンテンツの提供元を示すコードであり、サービス事業者によって割り当てられる。「情報提供企業表示テキスト」とは、ナビ表示用情報提供企業名テキスト情報であり、情報提供企業をＩＴＳ車載器の利用者に通知する目的で使用される。「情報提供企業表音文字列」とは、ナビ発話用情報提供企業名表音文字列であり、情報提供企業をＩＴＳ車載器の利用者に音声で通知する際に用いられる。「情報コード」とは、サービス事業者が情報グループ毎にユニークに割り付けるコードである。このコードに基づいて情報グループを特定できる。また、当該情報コードは、後述する「ＩＤ３０」の遷移情報等に使用される。「情報表示テキスト」とは、画面に表示するためのテキストデータであり、典型的にはコンテンツの題名である。「情報表音文字列」とは、ナビ発話用コンテンツ内容表音文字列であり、コンテンツを利用者に音声で通知する際に用いられる。「嗜好データカテゴリ（嗜好カテゴリ）」とは、情報カテゴリを示すコードであり、例えば、最大９６項目の分類でコンテンツ（情報グループ）をカテゴリ分けするために用いられる。９６項目の各項目は１ｂｉｔで表される。
【００２９】
「ＩＤ０３」の情報は、コンテンツの再生条件を示す。例えば、コンテンツを受信後、当該コンテンツを即時再生するか否かの情報等が含まれる。
【００３０】
「ＩＤ０４」の情報は、コンテンツの有効期限の情報を示す。具体的に、「ＩＤ０４」の情報は、受信したコンテンツの「開始年月日時分」及び「終了年月日時分」を秒単位で示している。
【００３１】
「ＩＤ０５」の情報は、コンテンツで示された店舗等の営業時間等を示す。
【００３２】
「ＩＤ１０」の情報は、対象地点情報（コンテンツ配信元の企業の広告情報、クーポン情報等）を示す。この対象地点情報に、動画や音声等のコンテンツが格納される。具体的に、「ＩＤ１０」の情報は、「対象地点座標」、「対象地点表示用テキスト」、「表示用文字データ」、「表示画像データ」、「表音文字列データ」、「圧縮音声データ」、「音声再生順」、「ビデオデータ」、「ＵＲＬ」、「提携駐車場情報」、「アイコン表示画像データ」を含む。
【００３３】
「ＩＤ２０」の情報は、コンテンツのポップアップの再生地点（情報提供地点）を示す。
【００３４】
「ＩＤ３０」の情報は、遷移情報（次に表示する画面（遷移先）を指定する情報等）を示す。具体的に、「ＩＤ３０」の情報は、「次再生情報コード１」、「次再生情報コード２」、「次再生情報コード３」、「次再生情報コード４」、「次再生情報コード５」、「次再生情報コード６」、「次再生情報コード７」、「次再生情報コード８」を含む。「次再生情報コード１」〜「次再生情報コード８」は、表示画面を遷移させる場合に用いられる情報であり、「ＩＤ０２」の「情報コード」に対応する。この「ＩＤ３０」の情報が情報グループに無い場合、又は「次再生情報コード１」〜「次再生情報コード８」に情報が格納されていない場合（次再生情報コードが存在しない場合）は、当該情報グループは遷移先の無い情報グループとなる。
【００３５】
「ＩＤ４０」の情報は詳細情報と呼ばれる情報であり、串刺し検索等を実現するために用いられる。「ＩＤ５０」の情報は駐車場情報であり、コンテンツで示された店舗等の駐車場の満空情報を示す。「ＩＤ６０」の情報は運転支援情報であり、駐車場の出入口付近／駐車場内合流／分岐・速度案内等、敷地内の運転に関して、運転の補助となる情報である。ＩＤ８０」の情報は、嗜好データであり、サービス事業者が配信するコンテンツを最大９６項目に分類して、利用者の嗜好に合わせて配信するコンテンツを選択するために利用される情報である。
【００３６】
なお、この他、異なる番号のＩＤを付与して新たな情報内容を定義してもよい。また、上記の各ＩＤのデータが全て存在する必要もない。例えば、ＩＤ５０は駐車場情報であるが、対象となるコンテンツが店舗等の施設に関するものではない場合や、施設であっても駐車場がない施設に対応するコンテンツである場合にはＩＤ５０には情報が存在しないことになる。
【００３７】
図５に、本実施の形態１における車載器１０の構成を示す。
図５に示すように、車載器１０は、カーナビ部１、通信モジュール２、ＤＳＲＣ部３、制御部４、無線通信部５等を備えて構成されている。なお、無線通信部５は必要に応じて備えていることが好ましい。
【００３８】
カーナビ部１は、カーナビ制御部１ａ、現在地検出部１ｂ、地図記憶部１ｃ、入力部１ｄ、表示部１ｅ、記憶部１ｆ、音声出力部１ｇ等を備え、車両Ｃの現在地から目的地までの経路を算出し、当該経路に従って車両Ｃを目的地へ誘導するための処理を行う。
【００３９】
カーナビ制御部１ａは、現在地検出部１ｂから検出された現在地の位置情報及び地図記憶部１ｃに記憶された地図情報等に基づいて、車両Ｃの現在地から入力部１ｄを介して設定された目的地までの経路を算出する。そして、地図記憶部１ｃに記憶されている地図情報を用いて算出した経路へ誘導するための地図画面を生成し、表示部１ｅにより表示させ、ナビゲーション制御手段として機能する。
【００４０】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す位置情報（経度、緯度等の情報）を生成し、カーナビ制御部１ａに出力する。
【００４１】
地図記憶部１ｃは、メモリやＤＶＤ等の記録媒体から構成され、案内表示に必要な地図情報、通信モジュール２を介して受信されるガイド情報（道路情報、渋滞情報等）等を記憶している。
【００４２】
入力部１ｄは、操作キーや表示部１ｅと一体に構成されるタッチパネル等から構成されている。入力部１ｄは、これらの操作に対応する操作信号を生成し、制御部４に出力し、入力手段として機能する。
【００４３】
表示部１ｅは、モニタを備え、制御部４の制御に従ってモニタ上に各種情報を表示する。例えば、設定画面や地図画面、センター装置３０から受信した配信情報のコンテンツの画面等を表示し、表示手段として機能する。
【００４４】
記憶部１ｆは、メモリから構成され、制御部４やカーナビ制御部１ａにより実行される制御プログラム、プログラムの実行に必要なパラメータやデータ等を記憶している。
また、記憶部１ｆは、センター装置３０から受信した配信情報を複数記憶し、記憶手段として機能する。
【００４５】
音声出力部１ｇは、音声処理部、Ｄ／Ａ変換器、増幅器、スピーカ等を備えて構成される。音声出力部１ｇは、制御部４から指示された音声データをＤ／Ａ変換器によりアナログ信号に変換してスピーカにより音声出力する。また、音声出力部１ｇは、制御部４から指示された表音文字列データに基づいて音声処理部により合成音声信号を生成し、スピーカにより音声出力する。
【００４６】
通信モジュール２は、光通信用、ＦＭ通信用、２．４ＧＨｚ電波通信用のアンテナをそれぞれ備え、通信センターと光通信、ＦＭ通信、電波通信等の各種通信を行う。例えば、通信モジュール２は通信センターから渋滞情報や道路交通情報等を受信し、制御部４に出力する。なお、通信センターとしてはＶＩＣＳ（登録商標）センター等を挙げることができるが、これに限らず、また、通信センターから受信する情報としては、渋滞情報や道路交通情報に限らない。
【００４７】
ＤＳＲＣ部３は、ＤＳＲＣ制御部３ａ、通信部３ｂ、記憶部３ｃ、ＥＴＣ処理部３ｄ、ＩＣカードＩ／Ｆ３ｅを備えて構成されており、ＤＳＲＣによるＥＴＣ利用のための処理や、センター装置３０から配信情報を受信するための通信処理等を行う通信手段として機能する。
【００４８】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｄにより決済情報の書込処理を行わせる。
また、通信部３ｂにより路側無線装置２０を介して配信情報を受信した場合には、当該配信情報を制御部４に出力する。
【００４９】
通信部３ｂは、車両Ｃのダッシュボード上でフロントガラス近傍に固設されたアンテナを備え、このアンテナを介して路側無線装置２０やＥＴＣ基地局等と、ＤＳＲＣの電波の送受信を行う。
【００５０】
記憶部３ｃは、ＤＳＲＣ制御部３ａにより実行される制御プログラム等を記憶している。
【００５１】
ＥＴＣ処理部３ｄは、ＩＣカードＩ／Ｆ３ｅに挿抜されるＩＣ付きクレジットカード又はデビットカード等に対して決済情報等の読み書きを行う。
【００５２】
ＩＣカードＩ／Ｆ３ｅは、上記クレジットカード等のスロットを備え、このスロットに挿入されたクレジットカード等のＩＣとＥＴＣ処理部３ｄとの間で情報のやりとりを仲介する。
【００５３】
制御部４は、ＣＰＵ（Central Processing Unit）、ＲＡＭ（Random Access Memory）等から構成され、記憶部１ｆに記憶された制御プログラムとの協働により各種演算を行う他、各部の集中制御を行う。例えば、路側無線装置２０との路車間通信を行う際にはＤＳＲＣ部３の通信動作を制御する。なお、ＤＳＲＣ部３の制御にあたってはＤＳＲＣ部３のＤＳＲＣ制御部３ａとの協働により制御を行う。また、ＤＳＲＣ部３を介してセンター装置３０から受信した配信情報の保存、再生制御等を行う。
【００５４】
また、制御部４は、入力部１ｄにより選択指示された配信情報（情報グループ）の有効期限の情報と現在の日時とを比較し、当該比較結果に応じたメッセージを生成し、当該メッセージを表示部１ｅに表示させる表示処理を実行する制御手段として機能する。
【００５５】
無線通信部５は、移動体通信網（ＰＤＣ／ＣＤＭＡ／ＰＨＳ／ＧＳＭ・ＧＰＲＳ等）、無線ＬＡＮ（ＩＥＥＥ８０２．１１ａ／ｂ／ｇ／ｎ等）、ＷｉＭＡＸ（ＩＥＥＥ８０２．１６ａ／ｅ／ｈ等）等の各種の無線通信網の無線通信アクセスポイント４０と無線通信を行い、無線通信アクセスポイント４０を介して車載器５０が外部ネットワークＮ２に接続されたセンター装置３０を始めとする外部機器にアクセスしデータ送受信を行うための通信制御を行う。無線通信部５としては、例えば、無線ＬＡＮカード、ＷｉＭＡＸ用の通信カード、及びこれらを装填するためのスロットや、携帯電話機及び携帯電話機を車載器１０に接続するためのＵＳＢ（Universal Serial Bus）等の通信インターフェース等の通信デバイスが含まれる。無線通信部５は、受信した情報を制御部４に出力する。
【００５６】
次に、動作について説明する。
図６に、車載器１０の制御部４により実行される本実施の形態１の表示処理を説明するフローチャートを示す。
【００５７】
制御部４は、入力部１ｄから情報グループの再生要求があると（ステップＳ１）、再生要求された情報グループのＩＤ４０の有効期限を参照する（ステップＳ２）。
ここで、ステップＳ１の場合として、例えば、表示部１ｅに表示されている情報グループから遷移する指示がある場合や、予め登録されているお気に入りリストテーブルに基づくリスト画面を表示部１ｅに表示させ、当該リスト画面からある情報グループが選択された場合などである。
【００５８】
なお、再生とは、再生要求された情報グループのコンテンツが静止画である場合には表示部１ｅに表示させたり、動画である場合には当該動画を表示部１ｅに再生したり、音声データである場合には発話したりすることを意味する。
【００５９】
制御部４は、現在日時が再生要求された情報グループのＩＤ４０が示す有効期限の開始年月日時分よりも前の日時であるか否かを判別し（ステップＳ３）、現在日時が開始年月日時分よりも前の日時である場合（ステップＳ３；Ｙｅｓ）、第１メッセージを報知する（ステップＳ４）と共に再生要求された情報グループのコンテンツを再生し（ステップＳ７）、本処理を終了する。
【００６０】
第１メッセージは、「この情報はまだ有効になっていません。」等の現在日時が開始年月日時分よりも前であることにより当該情報グループのコンテンツは現在有効でないことを示すメッセージである。制御部４は、この第１メッセージを、再生要求された情報グループのコンテンツと共に当該メッセージをテキスト表示したり発話したりすることにより報知する。なお、制御部４は、当該第１メッセージと共に開始年月日時分に基づく日時を報知することが好ましい。
【００６１】
制御部４は、現在日時が再生要求された情報グループのＩＤ４０が示す有効期限の開始年月日時分よりも前の日時でない場合（ステップＳ３；Ｎｏ）、現在日時が再生要求された情報グループのＩＤ４０が示す有効期限の終了年月日時分よりも後の日時であるか否かを判別する（ステップＳ５）。
【００６２】
制御部４は、現在日時が終了年月日時分よりも後の日時でない場合（ステップＳ５；Ｎｏ）、即ち、現在日時が開始年月日時分から終了年月日時分以内である場合には、再生要求された情報グループのコンテンツを再生し（ステップＳ７）、本処理を終了する。
【００６３】
制御部４は、現在日時が終了年月日時分よりも後の日時である場合（ステップＳ５；Ｙｅｓ）、第２メッセージを報知する（ステップＳ６）と共に再生要求された情報グループのコンテンツを再生し（ステップＳ７）、本処理を終了する。
【００６４】
第２メッセージは、「この情報は有効期限を過ぎています。」等の現在日時が終了年月日時分よりも後であることにより当該情報グループのコンテンツは無効であることを示すメッセージである。制御部４は、この第２メッセージを、再生要求された情報グループのコンテンツと共に当該メッセージをテキスト表示したり発話したりすることにより報知する。なお、制御部４は、当該第２メッセージと共に終了年月日時分に基づく日時を報知することが好ましい。
【００６５】
図７に、ステップＳ４及びステップＳ７において表示される画面Ｇ１１の例を示す。
図７に示す画面Ｇ１１は、再生要求された情報グループのＩＤ１０の情報に基づくコンテンツが再生されるコンテンツ再生領域Ｅ１１と、当該コンテンツ再生領域Ｅ１１上に第１メッセージが表示されるメッセージ領域Ｍ１１を備える。
なお、メッセージ領域Ｍ１１に第２メッセージを表示させて、ステップＳ６及びステップＳ７において表示される画面としてもよい。
【００６６】
また、図７に示す画面では、メッセージ領域Ｍ１１により、コンテンツ再生領域Ｅ１１の一部が隠れてしまう。このことから、当該メッセージ領域Ｍ１１をタッチパネル操作で選択された場合には、当該メッセージ領域Ｍ１１を消去したり、または当該メッセージ領域Ｍ１１を表示画面上の任意の位置に移動できるようにしても良い。
【００６７】
図８に、ステップＳ６及びステップＳ７において表示される画面Ｇ１２の例を示す。
図８に示す画面Ｇ１２は、再生要求された情報グループのＩＤ１０の情報に基づくコンテンツが再生されるコンテンツ再生領域Ｅ１２と、当該コンテンツ再生領域Ｅ１２の外部に第２メッセージが表示されるメッセージ領域Ｍ１２を備える。
なお、メッセージ領域Ｍ１２に第１メッセージを表示させて、ステップＳ４及びステップＳ７において表示される画面としてもよい。
【００６８】
［実施の形態２］
以下、図を参照して本発明の実施の形態２を詳細に説明する。
本実施の形態２における配信システムの構成、路側無線装置２０の構成、配信情報のデータ構成、配信情報に含まれる各ＩＤの情報は、実施の形態１と同様であるため、図示及び説明は省略する。また、車載器１０は、制御部４において実行される表示処理が異なる以外は実施の形態１と同様であるため、図示を省略し、異なる部分のみ説明する。
【００６９】
本実施の形態２における制御部４は、入力部１ｄにより選択指示された配信情報（情報グループ）の有効期限と現在の日時とを比較し、当該比較結果が、現在の日時が選択指示された情報グループの有効期限よりも前の日時、又は、後の日時である場合、当該比較結果に応じたメッセージを表示部１ｅに表示させると共に、当該情報グループのコンテンツを表示させるか否かの選択指示を入力部１ｄにより受け付ける表示処理を実行する。
【００７０】
次に、動作について説明する。
図９に、車載器１０の制御部４により実行される本実施の形態２の表示処理を説明するフローチャートを示す。なお、図９に示す表示処理のステップＳ１１及びＳ１２は、図６に示す実施の形態１の表示処理のステップＳ１及びＳ２と同様であるため、説明は省略する。
【００７１】
制御部４は、ステップＳ１２後、現在日時が再生要求された情報グループのＩＤ４０が示す有効期限の開始年月日時分よりも前の日時であるか否かを判別し（ステップＳ１３）、現在日時が開始年月日時分よりも前の日時である場合（ステップＳ１３；Ｙｅｓ）、第１報知画面を表示する（ステップＳ１４）。
【００７２】
図１０に、ステップＳ１４において表示される第１報知画面Ｇ１の例を示す。
図１０に示すように、第１報知画面Ｇ１は、メッセージ領域Ｍ１、ＹＥＳボタンＢ１ａ、ＮＯボタンＢ１ｂを備える。
【００７３】
メッセージ領域Ｍ１は、「この情報はまだ有効になっていません。」等の現在日時が開始年月日時分よりも前であることにより当該情報グループのコンテンツは現在有効でないことを示すメッセージと、「表示しますか？」等の再生要求された情報グループのコンテンツを表示させるか否かを問うメッセージとを表示する領域である。なお、当該メッセージと共に当該メッセージを発話して報知してもよい。
【００７４】
ＹＥＳボタンＢ１ａは、再生要求された情報グループのコンテンツを表示させる指示を受け付けるボタンであり、ＮＯボタンＢ１ｂは、再生要求された情報グループのコンテンツを表示させない指示を受け付けるボタンである。
【００７５】
制御部４は、ＮＯボタンＢ１ｂが選択されたか否かを判別し（ステップＳ１５）、ＮＯボタンＢ１ｂが選択された場合（ステップＳ１５；Ｙｅｓ）、第１報知画面を表示部１ｅの表示画面上から消去し（ステップＳ１６）、本処理を終了する。
【００７６】
制御部４は、ＮＯボタンＢ１ｂが選択されていない場合（ステップＳ１５；Ｎｏ）、ＹＥＳボタンＢ１ａが選択されたか否かを判別し（ステップＳ１７）、ＹＥＳボタンＢ１ａが選択されていない場合（ステップＳ１７；Ｎｏ）、ステップＳ１５に戻る。
【００７７】
制御部４は、ＹＥＳボタンＢ１ａが選択された場合（ステップＳ１７；Ｙｅｓ）、再生要求された情報グループのコンテンツを再生し（ステップＳ１８）、本処理を終了する。
【００７８】
制御部４は、現在日時が再生要求された情報グループのＩＤ４０が示す有効期限の開始年月日時分よりも前の日時でない場合（ステップＳ１３；Ｎｏ）、現在日時が再生要求された情報グループのＩＤ４０が示す有効期限の終了年月日時分よりも後の日時であるか否かを判別する（ステップＳ１９）。
【００７９】
制御部４は、現在日時が終了年月日時分よりも後の日時でない場合（ステップＳ１９；Ｎｏ）、即ち、現在日時が開始年月日時分から終了年月日時分以内である場合には、再生要求された情報グループのコンテンツを再生し（ステップＳ１８）、本処理を終了する。
【００８０】
制御部４は、現在日時が開始年月日時分よりも後の日時である場合（ステップＳ１９；Ｙｅｓ）、第２報知画面を表示部１ｅに表示させる（ステップＳ２０）。
【００８１】
図１１に、ステップＳ２０において表示される第２報知画面Ｇ２の例を示す。
図１１に示すように、第２報知画面Ｇ２は、メッセージ領域Ｍ２、ＹＥＳボタンＢ２ａ、ＮＯボタンＢ２ｂを備える。
【００８２】
メッセージ領域Ｍ２は、「この情報は有効期限を過ぎています。」等の現在日時が開始年月日時分よりも後であることにより当該情報グループのコンテンツは無効であることを示すメッセージと、「表示しますか？」等の再生要求された情報グループのコンテンツを表示させるか否かを問うメッセージとを表示する領域である。なお、当該メッセージと共に当該メッセージを発話して報知してもよい。
【００８３】
ＹＥＳボタンＢ２ａ、ＮＯボタンＢ２ｂは、それぞれ、図１０に示すＹＥＳボタンＢ１ａ、ＮＯボタンＢ１ｂと同様であるため、説明は省略する。
【００８４】
制御部４は、ＮＯボタンＢ２ｂが選択されたか否かを判別し（ステップＳ２１）、ＮＯボタンＢ２ｂが選択された場合（ステップＳ２１；Ｙｅｓ）、第２報知画面を表示部１ｅの表示画面上から消去し（ステップＳ２２）、本処理を終了する。
【００８５】
制御部４は、ＮＯボタンＢ２ｂが選択されていない場合（ステップＳ２１；Ｎｏ）、ＹＥＳボタンＢ２ａが選択されたか否かを判別し（ステップＳ２３）、ＹＥＳボタンＢ２ａが選択されていない場合（ステップＳ２３；Ｎｏ）、ステップＳ２１に戻る。
【００８６】
制御部４は、ＹＥＳボタンＢ２ａが選択された場合（ステップＳ２３；Ｙｅｓ）、再生要求された情報グループのコンテンツを再生し（ステップＳ１８）、本処理を終了する。
【００８７】
［実施の形態３］
以下、図を参照して本発明の実施の形態３を詳細に説明する。
本実施の形態３における配信システムの構成、路側無線装置２０の構成、配信情報のデータ構成、配信情報に含まれる各ＩＤの情報は、実施の形態１と同様であるため、図示及び説明は省略する。また、車載器１０は、制御部４において実行される表示処理が異なる以外は実施の形態１と同様であるため、図示を省略し、異なる部分のみ説明する。
【００８８】
本実施の形態３における制御部４は、通信部３ｂにより情報グループを受信すると、当該情報グループを記憶部１ｆに記憶させると共に、当該受信した情報グループに基づいて当該受信した情報グループを識別する情報コード、有効期限、記憶部１ｆに記憶された情報グループが削除されたか否かを示す削除フラグ等を含む複数のレコードから成る管理情報群としての管理データベースを生成し、当該管理データベースを記憶部１ｆに記憶させる。
【００８９】
また、制御部４は、入力部１ｄにより情報グループが選択指示された場合、管理データベースを参照して当該選択指示された情報グループの情報コードに対応する有効期限の情報を読み出し、当該有効期限と現在の日時とを比較し、当該比較結果に応じたメッセージを生成し、当該メッセージを表示部１ｅに表示させ、更に、制御部４は、比較結果が、現在の日時が情報グループの有効期限よりも後の日時である場合、メッセージを表示部１ｅに表示させると共に、当該情報グループを削除するか否かの選択指示を入力部１ｄにより受け付け、情報グループを削除する選択指示がある場合、管理データベースにおける削除フラグを削除された状態に設定し、記憶部１ｆに記憶されている当該配信情報を削除する表示処理を実行する。
【００９０】
図１２に、記憶部１ｆに記憶される管理データベースの例を示す。
図１２に示すように管理データベースは、管理データベースに情報グループが登録された際に付加される登録番号、情報グループのＩＤ０２が示す情報コード、情報表示テキスト、情報表音文字列、情報提供企業コード、嗜好データカテゴリと、情報グループのＩＤ０４が示す有効期限の開始年月日時分を示す有効期限開始日時、終了年月日時分を示す有効期限日時、削除フラグからなる複数のレコードから構成されている。
【００９１】
なお、本実施の形態３における削除フラグは、記憶部１ｆに記憶された情報グループが削除されていない場合は「０」を示し、記憶部１ｆに記憶された情報グループが削除された場合は「１」を示すものとする。
【００９２】
次に、動作について説明する。
図１３及び図１４に、車載器１０の制御部４により実行される本実施の形態３の表示処理を説明するフローチャートを示す。
【００９３】
制御部４は、入力部１ｄから情報グループの再生要求があると（ステップＳ３１）、管理データベースから当該再生要求された情報グループの情報コードと一致する情報コードを有するレコードを参照し（ステップＳ３２）、当該レコードは削除フラグが「１」であるか否かを判別する（ステップＳ３３）。
【００９４】
制御部４は、削除フラグが「１」である場合（ステップＳ３３；Ｙｅｓ）、第３メッセージを報知し（ステップＳ３４）、本処理を終了する。
【００９５】
第３メッセージは、「この情報は有効期限を過ぎたため削除されました。」等の再生要求された情報グループが記憶部１ｆから削除されたことを示すメッセージである。制御部４は、この第３メッセージを、表示部１ｅの表示画面上にテキスト表示したり発話したりすることにより報知する。
【００９６】
制御部４は、削除フラグが「１」でない場合、即ち、削除フラグが「０」の場合（ステップＳ３３；Ｎｏ）、現在日時は参照しているレコードの有効期限終了日時よりも後の日時であるか否かを判別する（ステップＳ３５）。
【００９７】
制御部４は、現在日時が有効期限終了日時よりも後の日時でない場合（ステップＳ３５；Ｎｏ）、現在日時は参照しているレコードの有効期限開始日時よりも前の日時であるか否かを判別する（ステップＳ３６）。
【００９８】
制御部４は、現在日時が有効期限開始日時よりも前の日時でない場合（ステップＳ３６；Ｎｏ）、即ち、現在日時が有効期限開始日時から有効期限終了日時以内である場合には、再生要求された情報グループのコンテンツを再生し（ステップＳ３７）、本処理を終了する。
【００９９】
現在日時が参照しているレコードの有効期限開始日時よりも前の日時である場合（ステップＳ３６；Ｙｅｓ）、第１報知画面を表示する（ステップＳ３８）。ステップＳ３８〜Ｓ４０は、実施の形態２の図９に示すステップＳ１４〜Ｓ１７と同様であるため当該説明、第１報知画面の図示及び説明は省略する。
【０１００】
制御部４は、現在日時が参照しているレコードの有効期限終了日時よりも後の日時である場合（ステップＳ３５；Ｙｅｓ）、第３報知画面を表示する（ステップＳ４１）。
【０１０１】
図１５に、ステップＳ４１において表示される第３報知画面Ｇ３の例を示す。
図１５に示すように、第３報知画面Ｇ３は、メッセージ領域Ｍ３、表示ボタンＢ３ａ、削除ボタンＢ３ｂ、戻るボタンＢ３ｃを備える。
【０１０２】
メッセージ領域Ｍ３は、「この情報は有効期限を過ぎています。」等の現在日時が有効期限終了日時、即ち、再生要求された情報グループの終了年月日時分よりも後であることにより当該情報グループのコンテンツは無効であることを示すメッセージと、「どうしますか？」等の再生要求された情報グループのコンテンツを表示、削除、戻る、のいずれかの処理の選択指示を問うメッセージとを表示する領域である。なお、当該メッセージと共に当該メッセージを発話して報知してもよい。
【０１０３】
表示ボタンＢ３ａは、再生要求された情報グループのコンテンツを表示させる指示を受け付けるボタンであり、削除ボタンＢ３ｂは、再生要求された情報グループを記憶部１ｆから削除する指示を受け付けるボタンであり、戻るボタンＢ３ｃは、本処理の実行前の状態に戻る指示を受け付けるボタンである。
【０１０４】
制御部４は、戻るボタンＢ３ｃが選択されたか否かを判別し（ステップＳ４２）、戻るボタンＢ３ｃが選択された場合（ステップＳ４２；Ｙｅｓ）、先に表示されていた表示画面に戻って本処理を終了する。
【０１０５】
制御部４は、戻るボタンＢ３ｃが選択されていない場合（ステップＳ４２；Ｎｏ）、削除ボタンＢ３ｂが選択されたか否かを判別し（ステップＳ４３）、削除ボタンＢ３ｂが選択された場合（ステップＳ４３；Ｙｅｓ）、参照しているレコードの削除フラグを「１」に設定し（ステップＳ４４）、当該参照しているレコードの情報コードに対応する情報グループを記憶部１ｆから削除し（ステップＳ４５）、本処理を終了する。
【０１０６】
制御部４は、削除ボタンＢ３ｂが選択されていない場合（ステップＳ４３；Ｎｏ）、表示ボタンＢ３ａが選択されたか否かを判別し（ステップＳ４６）、表示ボタンＢ３ａが選択されていない場合（ステップＳ４６；Ｎｏ）、ステップＳ４２に戻る。
【０１０７】
制御部４は、表示ボタンＢ３ａが選択された場合（ステップＳ４６；Ｙｅｓ）、参照しているレコードの情報コードに対応する情報グループのコンテンツを再生し（ステップＳ４７）、第４報知画面を表示部１ｅに表示させる。なお、この第４報知画面は、ステップＳ４７において再生される画面と合成して表示したり、ステップＳ４７において再生される画面の上部に重ねて表示したり、ステップＳ４７において再生される画面を縮小して同一画面上に表示させてもよい。
【０１０８】
図１６に、ステップＳ４８において表示される第４報知画面Ｇ４の例を示す。
図１６に示すように、第４報知画面Ｇ４は、メッセージ領域Ｍ４、ＹＥＳボタンＢ４ａ、ＮＯボタンＢ４ｂを備える。
【０１０９】
メッセージ領域Ｍ４は、「削除しますか？」等の再生要求された情報グループを記憶部１ｆから削除するか否かを問うメッセージを表示する領域である。なお、当該メッセージと共に当該メッセージを発話して報知してもよい。
【０１１０】
ＹＥＳボタンＢ４ａは、参照しているレコードの情報コードと一致する情報グループを削除する指示を受け付けるボタンであり、ＮＯボタンＢ４ｂは、参照しているレコードの情報コードと一致する情報グループを削除しない指示を受け付けるボタンである。
【０１１１】
制御部４は、ＹＥＳボタンＢ４ａが選択されたか否かを判別し（ステップＳ４９）、ＹＥＳボタンＢ４ａが選択された場合（ステップＳ４９；Ｙｅｓ）、第４報知画面を表示部１ｅから消去し、ステップＳ４４に進む。
【０１１２】
制御部４は、ＹＥＳボタンＢ４ａが選択されていない場合（ステップＳ４９；Ｎｏ）、ＮＯボタンＢ４ｂが選択されたか否かを判別し（ステップＳ５０）、ＮＯボタンＢ４ｂが選択されていない場合（ステップＳ５０；Ｎｏ）、ステップＳ４９に戻し、ＮＯボタンＢ４ｂが選択された場合（ステップＳ５０；Ｙｅｓ）、本処理を終了する。
【０１１３】
［実施の形態４］
以下、図を参照して本発明の実施の形態４を詳細に説明する。
本実施の形態４における配信システムの構成、路側無線装置２０の構成、配信情報のデータ構成、配信情報に含まれる各ＩＤの情報は、実施の形態１と同様であるため、図示及び説明は省略する。また、車載器１０は、制御部４において実行される表示処理が異なる以外は実施の形態１と同様であるため、図示を省略し、異なる部分のみ説明する。
【０１１４】
また、本実施の形態４における制御部４は、実施の形態３と同様に管理データベースを作成し、当該管理データベースを記憶部１ｆに記憶させるため、管理データベースの図示及び説明は省略する。
【０１１５】
本実施の形態４における制御部４は、実施の形態３の表示処理において、入力部１ｄにより情報グループを削除する選択指示がある場合、当該情報グループに当該情報グループを基準とした遷移先となる情報グループがある（次再生情報コードがある）場合、当該情報グループを削除すると遷移先となる情報グループが表示されなくなることを示すメッセージを表示部１ｅに表示させると共に、当該情報グループを削除するか否かの選択指示を入力部１ｄにより受け付け、情報グループを削除する選択指示がある場合、管理データベースにおける当該情報グループの削除フラグを削除された状態「１」に設定し、記憶部１ｆに記憶されている当該情報グループを削除する処理を実行する。
【０１１６】
次に、動作について説明する。
なお、本実施の形態４の表示処理は、実施の形態３の図１４に示したステップＳ４３〜Ｓ５０が異なる以外は、実施の形態３と同様であるため、同様のステップの図示及び説明は省略し、ステップＳ３５；Ｙｅｓ以降の本実施の形態４の表示処理のフローチャートを図１７に示す。
【０１１７】
制御部４は、図１３及び図１４に示すステップＳ３１〜Ｓ４２の処理（図示及び説明略）後、削除ボタンＢ３ｂが選択されたか否かを判別し（ステップＳ５１）、削除ボタンＢ３ｂが選択された場合（ステップＳ５１；Ｙｅｓ）、参照しているレコードの情報コードに対応する情報グループのＩＤ３０を参照し、次再生情報コードがあるか否かを判別する（ステップＳ５２）。
【０１１８】
制御部４は、次再生情報コードがある場合（ステップＳ５２；Ｙｅｓ）、第５報知画面を表示部１ｅに表示する（ステップＳ５３）。
【０１１９】
図１８に、ステップＳ５３において表示される第５報知画面Ｇ５の例を示す。
図１８に示すように、第５報知画面Ｇ５は、メッセージ領域Ｍ５、表示ボタンＢ５ａ、削除ボタンＢ５ｂ、戻るボタンＢ５ｃを備える。
【０１２０】
メッセージ領域Ｍ５は、「この情報はリンクがあります。削除するとリンク先の情報を見られなくなる可能性があります。」等の再生要求された情報グループを削除すると遷移先（リンク先）となる情報グループが表示されなくなることを示すメッセージを表示する領域である。なお、当該メッセージと共に当該メッセージを発話して報知してもよい。
【０１２１】
表示ボタンＢ５ａは、再生要求された情報グループのコンテンツを表示させる指示を受け付けるボタンであり、削除ボタンＢ５ｂは、再生要求された情報グループを記憶部１ｆから削除する指示を受け付けるボタンであり、戻るボタンＢ５ｃは、前の状態に戻る指示を受け付けるボタンである。
【０１２２】
制御部４は、戻るボタンＢ５ｃが選択されたか否かを判別し（ステップＳ５４）、戻るボタンＢ５ｃが選択された場合（ステップＳ５４；Ｙｅｓ）、先に表示されていた表示画面である第３報知画面の表示（ステップＳ４１）に戻る。
【０１２３】
制御部は、戻るボタンＢ５ｃが選択されていない場合（ステップＳ５４；Ｎｏ）、表示ボタンＢ５ａが選択されたか否かを判別し（ステップＳ５５）、表示ボタンＢ５ａが選択されていない場合（ステップＳ５５；Ｎｏ）、削除ボタンＢ５ｂが選択されたか否かを判別し（ステップＳ５６）、削除ボタンＢ５ｂが選択されていない場合（ステップＳ５６；Ｎｏ）、ステップＳ５４に戻る。
【０１２４】
制御部４は、削除ボタンＢ５ｂが選択された場合（ステップＳ５６；Ｙｅｓ）、又は、参照しているレコードの情報コードに対応する情報グループに次再生情報コードがない場合（ステップＳ５２；Ｎｏ）、参照しているレコードの削除フラグを「１」に設定し（ステップＳ５７）、当該参照しているレコードの情報コードに対応する情報グループを記憶部１ｆから削除し（ステップＳ５８）、本処理を終了する。
【０１２５】
制御部４は、一方、削除ボタンＢ３ｂが選択されていない場合（ステップＳ５１；Ｎｏ）、表示ボタンＢ３ａが選択されたか否かを判別し（ステップＳ５９）、表示ボタンＢ３ａが選択されていない場合（ステップＳ５９；Ｎｏ）、ステップＳ４２に戻る。
【０１２６】
制御部４は、表示ボタンＢ３ａが選択された場合（ステップＳ５９；Ｙｅｓ）又は表示ボタンＢ５ａが選択された場合（ステップＳ５５；Ｙｅｓ）、参照しているレコードの情報コードに対応する情報グループのコンテンツを再生し（ステップＳ６０）、当該再生したコンテンツの情報グループのＩＤ３０を参照し、次再生情報コードがあるか否かを判別する（ステップＳ６１）。
【０１２７】
制御部４は、次再生情報コードがある場合（ステップＳ６１；Ｙｅｓ）、第４メッセージを報知する（ステップＳ６２）。
【０１２８】
第４メッセージは、「削除するとリンク先の情報をみられなくなる可能性があります。」等の再生要求された情報グループを削除すると遷移先（リンク先）となる情報グループが表示されなくなることを示すメッセージである。制御部４は、この第４メッセージを、表示部１ｅの表示画面上にテキスト表示したり発話したりすることにより報知する。
【０１２９】
制御部４は、次再生情報コードがない場合（ステップＳ６１；Ｎｏ）、又はステップＳ６２後、第４報知画面を表示部１ｅに表示する（ステップＳ６３）。ステップＳ６３〜Ｓ６５は、実施の形態３の図１４に示すステップＳ４８〜Ｓ５０と同様であるため、当該説明及び第４報知画面の図示及び説明は省略する。
【０１３０】
［実施の形態５］
以下、図を参照して本発明の実施の形態５を詳細に説明する。
本実施の形態５における配信システムの構成、路側無線装置２０の構成、配信情報のデータ構成、配信情報に含まれる各ＩＤの情報は、実施の形態１と同様であるため、図示及び説明は省略する。また、車載器１０は、制御部４において実行される表示処理が異なる以外は実施の形態１と同様であるため、図示を省略し、異なる部分のみ説明する。
【０１３１】
また、本実施の形態５における制御部４は、実施の形態３と同様に管理データベースを作成し、当該管理データベースを記憶部１ｆに記憶させるため、管理データベースの図示及び説明は省略する。
【０１３２】
本実施の形態５における制御部４は、実施の形態３の表示処理において、入力部１ｄにより選択指示された情報グループの情報コードに対応する管理データベースのレコードの有効期限（有効期限開始日時及び有効期限終了日時）と現在の日時とを比較し、当該比較結果が、現在の日時が選択指示された情報グループの有効期限終了日時よりも後の日時である場合、当該情報グループが削除可能か否かを判別する処理を実行する。
【０１３３】
次に、動作について説明する。
なお、本実施の形態５の表示処理は、実施の形態３の図１４に示したステップＳ４１〜Ｓ５０が異なる以外は、実施の形態３と同様であるため、同様のステップの図示及び説明は省略し、ステップＳ３５；Ｙｅｓ以降の本実施の形態５の表示処理のフローチャートを図１９に示す。
【０１３４】
制御部４は、図１３に示すステップＳ３１〜Ｓ４０の処理（図示及び説明略）後、現在日時が参照しているレコードの有効期限終了日時よりも後の日時である場合（ステップＳ３５；Ｙｅｓ）、図２０又は図２１に示す削除可否判定処理を実行し（ステップＳ７１）、ステップＳ７１における処理に応じて、参照しているレコードの識別コードに対応する情報グループが削除可か否かを判別する（ステップＳ７２）。
【０１３５】
制御部４は、参照しているレコードの識別コードに対応する情報グループが削除不可である場合（ステップＳ７２；Ｎｏ）、第２報知画面を表示部１ｅに表示させる（ステップＳ７３）。ステップＳ７３〜Ｓ７５は、実施の形態２の図９に示すステップＳ２０〜Ｓ２３と同様であるため、当該説明及び第２報知画面の図示及び説明は省略する。
【０１３６】
制御部４は、ＹＥＳボタンＢ２ａが選択された場合（ステップＳ７５；Ｙｅｓ）、参照しているレコードの情報コードに対応する情報グループのコンテンツを再生し（ステップＳ７６）、本処理を終了する。
【０１３７】
制御部４は、ＮＯボタンＢ２ｂが選択された場合（ステップ７４；Ｙｅｓ）、第２報知画面を表示部１ｅの表示画面上から消去して、本処理を終了する。
【０１３８】
制御部４は、参照しているレコードの識別コードに対応する情報グループが削除可である場合（ステップＳ７２；Ｙｅｓ）、ステップＳ７７に進む。ステップＳ７７〜Ｓ８６は、実施の形態３の図１４に示すステップＳ４１〜Ｓ５０と同様であるため、説明は省略する。
【０１３９】
図２０に、ステップＳ７１において実行される削除可否判定処理のフローチャートを示す。
【０１４０】
制御部４は、参照しているレコードの情報コードに対応する情報グループのＩＤ３０を参照し、次再生情報コードがあるか否か、即ち、参照しているレコードの情報コードに対応する情報グループを基準とした遷移先となる情報グループの有無を判別し（ステップＳ９１）、次再生情報コードがある場合（ステップＳ９１；Ｙｅｓ）、次再生情報コードに対応する全ての情報グループの有効期限が切れているか否か、即ち、参照しているレコードの情報コードに対応する情報グループを基準とした遷移先となる全ての情報グループが有効期限切れか否かを判別する（ステップＳ９２）。
【０１４１】
ステップＳ９２における有効期限が切れているか否かの判別は、現在の日時が次再生情報コードに対応する各情報グループのＩＤ０４の終了年月日時分よりも後である場合、有効期限が切れていると判別する。
【０１４２】
制御部４は、次再生情報コードがない場合（ステップＳ９１；Ｎｏ）、又は、次再生情報コードに対応する全ての情報グループの有効期限が切れている場合（ステップＳ９２；Ｙｅｓ）、削除可と判別し（ステップＳ９３）、本処理を終了する。
【０１４３】
制御部４は、次再生情報コードに対応する全ての情報グループの有効期限が切れていない場合（ステップＳ９２；Ｎｏ）、削除不可と判別し（ステップＳ９４）、本処理を終了する。
【０１４４】
図２１に、ステップＳ７１において実行される削除可否判定処理の他のフローチャートを示す。なお、ステップＳ１０１、Ｓ１０２は、図２０に示す削除可否判定処理のステップＳ９１、Ｓ９２と同様であるため、説明は省略する。
【０１４５】
制御部４は、次再生情報コードに対応する全ての情報グループの有効期限が切れていない場合（ステップＳ１０２；Ｎｏ）、参照しているレコードの情報コードに対応する情報グループを経由せずに最上位の情報グループから次再生情報コードに対応する情報グループに到達可能な遷移ルートがあるか否かを判別する（ステップＳ１０３）。
【０１４６】
制御部４は、次再生情報コードがない場合（ステップＳ１０１；Ｎｏ）、次再生情報コードに対応する全ての情報グループの有効期限が切れている場合（ステップＳ１０２；Ｙｅｓ）、又は、参照しているレコードの情報コードに対応する情報グループを経由せずに最上位の情報グループから次再生情報コードに対応する情報グループに到達可能な遷移ルートがある場合（ステップＳ１０３；Ｙｅｓ）、削除可と判別し（ステップＳ１０４）、本処理を終了する。
【０１４７】
制御部４は、参照しているレコードの情報コードに対応する情報グループを経由せずに最上位の情報グループから次再生情報コードに対応する情報グループに到達可能な遷移ルートがない場合（ステップＳ１０３；Ｎｏ）、削除不可と判別し（ステップＳ１０５）、本処理を終了する。
【０１４８】
ステップＳ１０３における判別手法の例を説明する。
まず、記憶部１ｆに記憶されている情報グループがＩＤ３０に基づいて図２２に示すような階層構造（ツリー構造）を構成しているものとする。
【０１４９】
例えば、図２２の情報グループ「５」が参照しているレコードの情報コードに対応する情報グループである場合、当該情報グループ「５」を経由せずに最上位の情報グループ「１」から当該情報グループ「５」の次再生情報コードに対応する情報グループ「８」、「９」に到達可能な遷移ルートがあるか否かを調べる場合を挙げて説明する。
【０１５０】
情報グループ「８」について遷移ルートの有無を判別する場合を説明する。
まず、情報グループ「８」の遷移元を検索する必要があるが、情報グループは、遷移元を示す情報を有しないため、制御部４は、全ての情報グループに対して、遷移先として情報コード「８」が指定されているか否か、即ち、ＩＤ３０の次再生情報コードに情報コード「８」があるか否かを検索する。図２２に示す階層構造の場合、情報グループ「４」が遷移先として情報コード「８」が指定されている（次再生情報コードに情報コード「８」がある）ため、情報グループ「５」以外にも情報グループ「８」に遷移できる情報グループ、即ち、情報グループ「５」以外の遷移元があると判別する。
【０１５１】
次に、制御部４は、この情報グループ「４」の遷移元を情報グループ「８」の遷移元を検索した処理と同様の処理で検索し、情報グループ「２」が遷移元であると判別する。更に、制御部４は、情報グループ「２」の遷移元を同様に検索し、情報グループ「１」が遷移元であると判別する。
【０１５２】
従って、情報グループ「８」は、情報グループ「１」から情報グループ「２」、情報グループ「４」を経て遷移することが可能であることが判明する。
【０１５３】
情報グループ「９」についても同様に検索すると、情報グループ「９」は、情報グループ「１」から情報グループ「３」、情報グループ「６」を経て遷移することが可能であると判明する。
【０１５４】
以上のことから、情報グループ「５」を経由せずに最上位の情報グループ「１」から次再生情報コードに対応する情報グループ「８」、「９」に到達可能な遷移ルートがあると判別でき、当該情報グループ「５」は削除可であると判別される。
【０１５５】
［実施の形態６］
以下、図を参照して本発明の実施の形態６を詳細に説明する。
図２３に、本実施の形態６における配信システム２００の構成図を示す。
配信システム２００は、図２３に示すように、車両Ｃに搭載された車載器５０、路側無線装置２０、センター装置３０、無線通信アクセスポイント４０を含んで構成され、センター装置３０が路側無線装置２０又は無線通信アクセスポイント４０を介して車載器５０に配信情報を配信する。なお、実施の形態１の配信システム１００と同様の構成は同様の符号を付し、説明は省略する。
【０１５６】
図２３に示すように、センター装置３０は、ＤＳＲＣ専用のネットワークＮ１を介して路上や駐車場、道の駅等に複数設置された路側無線装置２０と接続されている。
また、センター装置３０は、外部ネットワークＮ２に接続されている。外部ネットワークＮ２は、インターネット、及びこれに接続された移動体通信網、無線ＬＡＮ（Local Area Network）、ＷｉＭＡＸ（Worldwide Interoperability for Microwave Access）等の無線通信網を含んでおり、センター装置３０は、外部ネットワークＮ２を介して車載器５０からの配信情報の取得要求を受信すると、要求された配信情報を車載器５０に送信する。
【０１５７】
路側無線装置２０の構成、配信情報のデータ構成、配信情報に含まれる各ＩＤの情報は、実施の形態１と同様であるため、図示及び説明は省略する。
【０１５８】
本実施の形態６の車載器５０は、制御部４において実行される表示処理が異なり、無線通信部５が必須な構成である以外は実施の形態１の車載器１０と同様であるため、図示を省略し、異なる部分のみ説明する。
【０１５９】
本実施の形態６における制御部４は、入力部１ｄにより選択指示された配信情報（情報グループ）の有効期限の情報と現在の日時とを比較し、当該比較結果に応じたメッセージを生成し、当該メッセージを表示部１ｅに表示させると共に、当該比較結果が、現在の日時が選択指示された情報グループの有効期限よりも後の日時である場合、当該情報グループにＵＲＬが含まれている場合には、無線通信部５を用いて当該ＵＲＬにより指定された情報格納場所から現在の日時よりも後の有効期限を有する当該情報グループを取得し、記憶部１ｆに記憶されている当該情報グループを更新する表示処理を実行する制御手段として機能する。
【０１６０】
次に、動作について説明する。
図２４に、車載器５０の制御部４により実行される本実施の形態６の表示処理を説明するフローチャートを示す。なお、ステップＳ１１１及びＳ１１２は、実施の形態１の図６に示すステップＳ１及びＳ２と同様であるため、説明は省略する。
【０１６１】
制御部４は、現在日時が再生要求された情報グループのＩＤ４０が示す有効期限の終了年月日時分よりも後の日時であるか否かを判別し（ステップＳ１１３）、現在日時が終了年月日時分よりも後の日時でない場合（ステップＳ１１３；Ｎｏ）、現在日時が再生要求された情報グループのＩＤ４０が示す有効期限の開始年月日時分よりも前の日時であるか否かを判別する（ステップＳ１１４）。
【０１６２】
制御部４は、現在日時が開始年月日時分よりも前の日時である場合（ステップＳ１１４；Ｙｅｓ）、第１メッセージを報知する（ステップＳ１１５）と共に再生要求された情報グループのコンテンツを再生し（ステップＳ１１６）、本処理を終了する。なお、第１メッセージは、実施の形態１と同様であるため、説明は省略する。
【０１６３】
制御部４は、現在日時が開始年月日時分よりも前の日時でない場合（ステップＳ１１４；Ｎｏ）、即ち、現在日時が開始年月日時分から終了年月日時分以内である場合には、再生要求された情報グループのコンテンツを再生し（ステップＳ１１６）、本処理を終了する。
【０１６４】
制御部４は、現在日時が終了年月日時分よりも後の日時である場合（ステップＳ１１３；Ｙｅｓ）、再生要求された情報グループがＵＲＬを含んでいるか否かを判別し（ステップＳ１１７）、ＵＲＬを含んでいない場合（ステップＳ１１７；Ｎｏ）、第２メッセージを報知する（ステップＳ１１８）と共に再生要求された情報グループのコンテンツを再生し（ステップＳ１１６）、本処理を終了する。具体的には、情報グループのＩＤ１０が示す対象地点情報にＵＲＬが含まれているかどうかを判別する。
【０１６５】
制御部４は、再生要求された情報グループがＵＲＬを含んでいる場合（ステップＳ１１７；Ｙｅｓ）、無線通信部５において接続されている通信デバイスの情報を収集する（ステップＳ１１９）。
【０１６６】
無線通信部５において接続されている通信デバイスの情報の収集は、例えば、予め車載器５０の電源投入時に制御部４が無線通信部５に接続されている通信デバイスの検出を行って検出された通信デバイスの情報をＲＡＭに記憶しておき、ステップＳ１１９においては、ＲＡＭに記憶されている情報を参照するのみにしてもよいし、ステップＳ１１９において、接続されている通信デバイスの検出を行って情報収集を行うようにしてもよい。
【０１６７】
制御部４は、収集された情報に基づいて、無線通信部５に接続されている通信デバイスがあるか否かを判別し（ステップＳ１２０）、接続されている通信デバイスがない場合（ステップＳ１２０；Ｎｏ）、ステップＳ１１８に進む。
【０１６８】
制御部４は、無線通信部５に接続されている通信デバイスがある場合（ステップＳ１２０；Ｙｅｓ）、第６報知画面を表示部１ｅに表示させる（ステップＳ１２１）。
【０１６９】
図２５に、ステップＳ１２１において表示される第６報知画面Ｇ６の例を示す。
図２５に示すように、第６報知画面Ｇ６は、メッセージ領域Ｍ６、ＹＥＳボタンＢ６ａ、ＮＯボタンＢ６ｂを備える。
【０１７０】
メッセージ領域Ｍ６は、「この情報が有効期限を過ぎています」等の再生要求された情報グループは無効であることを示すメッセージと、「ネットワークに接続して最新の情報を取得しますか？」等の最新の情報グループを取得するか否かを問うメッセージとを表示する領域である。なお、当該メッセージと共に当該メッセージを発話して報知してもよい。
【０１７１】
ＹＥＳボタンＢ６ａは、最新の情報グループを取得する指示を受け付けるボタンであり、ＮＯボタンＢ６ｂは、最新の情報グループを取得しない指示を受け付けるボタンである。
【０１７２】
制御部４は、ＮＯボタンＢ６ｂが選択されたか否かを判別し（ステップＳ１２２）、ＮＯボタンＢ６ｂが選択された場合（ステップＳ１２２；Ｙｅｓ）、第６報知画面を表示部１ｅの表示画面上から消去し、ステップＳ１１６に進む。
【０１７３】
制御部４は、ＮＯボタンＢ６ｂが選択されていない場合（ステップＳ１２２；Ｎｏ）、ＹＥＳボタンＢ６ａが選択されたか否かを判別し（ステップＳ１２３）、ＹＥＳボタンＢ６ａが選択されていない場合（ステップＳ１２３；Ｎｏ）、ステップＳ１２２に戻る。
【０１７４】
制御部４は、ＹＥＳボタンＢ６ａが選択された場合（ステップＳ１２３；Ｙｅｓ）、図２６に示す情報取得処理を実行し（ステップＳ１２４）、本処理を終了する。
【０１７５】
図２６に、ステップＳ１２４において実行される情報取得処理のフローチャートを示す。
【０１７６】
制御部４は、接続されている通信デバイスの一覧画面を表示部１ｅに表示させ、当該通信デバイスの一覧画面より入力部１ｄを介して何れかの通信デバイスの選択指示を受け付け、選択された通信デバイスの情報を取得する（ステップＳ１３１）。
【０１７７】
制御部４は、無線通信部５の選択された通信デバイスを用いて外部ネットワークＮ２との接続を開始させ（ステップＳ１３２）、接続処理中のメッセージを表示部１ｅの画面上にテキスト表示したり発話したりすることにより報知する（ステップＳ１３３）。
【０１７８】
制御部４は、外部ネットワークＮ２との接続が確立したか否かを判別し（ステップＳ１３４）、外部ネットワークＮ２との接続が確立した場合（ステップＳ１３４；Ｙｅｓ）、図２７又は図２８に示す情報更新処理を実行し（ステップＳ１３５）、本処理を終了する。
【０１７９】
制御部４は、外部ネットワークＮ２の接続が確立しない場合（ステップＳ１３６；Ｎｏ）、外部ネットワークＮ２と接続できない旨のメッセージを表示部１ｅの画面上にテキスト表示したり発話したりすることにより報知し（ステップＳ１３６）、本処理を終了する。
【０１８０】
図２７に、ステップＳ１３５において実行される情報更新処理のフローチャートを示す。図２７に示す情報更新処理では、情報グループが含むＵＲＬに基づいてｗｅｂブラウザにより表示される当該ＵＲＬのページ内に情報更新用のデータへアクセスするためのリンクファイルがあるものとする。
【０１８１】
制御部４は、情報グループのＩＤ１０からＵＲＬを読み出し（ステップＳ１４１）、ｗｅｂブラウザを起動して（ステップＳ１４２）、読み出したＵＲＬをｗｅｂブラウザに設定する（ステップＳ１４３）。
【０１８２】
ｗｅｂブラウザは、無線通信部５により外部ネットワークＮ２経由で設定されたＵＲＬに指定されたファイルを取得し（ステップＳ１４４）、取得したファイルの内容を解析して、当該ファイルの内容を示す画面を表示部１ｅに表示させる（ステップＳ１４５）。
【０１８３】
ステップＳ１４５において表示される画面には、情報更新用データへのリンクファイルが設定されたアイコン等の各種アイコンが備えられている。入力部１ｄによりアイコンの選択指示が受け付けられると、ｗｅｂブラウザは、選択指示されたアイコンに対応するリンクファイルを外部ネットワークＮ２を介して取得し（ステップＳ１４６）、取得したリンクファイルが情報更新用データへのリンクファイル（情報更新用ファイル）であるか否かを判別する（ステップＳ１４７）。
【０１８４】
ｗｅｂブラウザには、予め情報更新用ファイルに付けられる拡張子（例えば、「．ｔｃｌｎ」等）と当該情報更新用ファイルを実行するアプリケーションとが関連付けられて記憶されているものとする。ｗｅｂブラウザは、取得されたリンクファイルの拡張子が登録された拡張子と一致するか否かを判別することにより、情報更新用ファイルか否かを判別する。
【０１８５】
ｗｅｂブラウザは、取得されたリンクファイルが情報更新用ファイルでない場合（ステップＳ１４７；Ｎｏ）、ステップＳ１４４に戻り、情報更新用ファイルである場合（ステップＳ１４７；Ｙｅｓ）、当該情報更新用ファイルを実行するアプリケーション（情報更新アプリケーション）を起動させ、当該情報更新アプリケーションに当該情報更新用ファイルを渡す（ステップＳ１４８）。
【０１８６】
制御部４は、ステップＳ１４８後、ｗｅｂブラウザを終了させ（ステップＳ１４９）、情報更新アプリケーションを実行させて、取得した情報更新用ファイルを解析させる（ステップＳ１５０）。
【０１８７】
制御部４は、情報更新用ファイルのデータフォーマット等に誤りがないか否かを判別し（ステップＳ１５１）、誤りがある場合（ステップＳ１５１；Ｎｏ）、「データにエラーがあるため更新ができません」等のエラーメッセージを表示部１ｅの画面上にテキスト表示したり発話したりすることにより報知し（ステップＳ１５２）、本処理を終了する。
【０１８８】
制御部４は、情報更新用ファイルのデータフォーマット等に誤りがない場合（ステップＳ１５１；Ｙｅｓ）、当該情報更新用ファイルが有効期限切れでないか否かを判別する（ステップＳ１５３）。ステップＳ１５３における有効期限切れでないか否かの判別は、現在の日時よりも情報更新用ファイルの有効期限（最終年月日時分）が後でない場合、有効期限切れでないと判別することができる。
【０１８９】
制御部４は、情報更新用ファイルが有効期限切れである場合（ステップＳ１５３；Ｎｏ）、「更新された情報が有りませんでした」等の更新された情報グループが無い旨を示すメッセージを表示部１ｅの画面上にテキスト表示したり発話したりすることにより報知し（ステップＳ１５４）、本処理を終了する。
【０１９０】
制御部４は、情報更新用ファイルが有効期限切れでない場合（ステップＳ１５３；Ｙｅｓ）、再生要求された記憶部１ｆに記憶されている情報グループを当該情報更新用ファイルのデータに書き換えて更新し（ステップＳ１５５）、「情報は更新されました」等の情報グループが更新された旨を示すメッセージを表示部１ｅの画面上にテキスト表示したり発話したりすることにより報知し（ステップＳ１５６）、本処理を終了する。
【０１９１】
図２８に、ステップＳ１３５において実行される情報更新処理の他のフローチャートを示す。図２８に示す情報更新処理は、情報グループが含む情報更新専用のＵＲＬや、情報グループが含むＵＲＬの一部を所定の法則で変え（例えば、拡張子を「．ｄｓｒｃ」に置き換え）、情報更新用のＵＲＬとし、ｗｅｂブラウザを用いずに、外部ネットワークＮ２を経由して情報更新用のデータを取得するものである。
【０１９２】
制御部４は、情報グループから情報更新用のＵＲＬを取得する（ステップＳ１６１）。
ステップＳ１６１における情報更新用のＵＲＬの取得は、情報更新専用ＵＲＬを取得する場合と、ＵＲＬの一部を変更して情報更新用のＵＲＬとして取得する場合とがある。
【０１９３】
まず、情報更新専用ＵＲＬを取得する場合について説明する。
情報グループのＩＤ１０に、ＵＲＬが複数格納できる場合には、このＩＤ１０を参照し、複数のＵＲＬのうち各ＵＲＬで指定されるファイルの拡張子を参照して、情報更新用ＵＲＬを取得する。例えば、拡張子が「．ｔｃｌｎ」である場合には、情報更新用ＵＲＬであると設定し、この拡張子と一致するＵＲＬをＩＤ１０から検索することにより、情報更新用ＵＲＬを取得する。また、情報グループのＩＤ４０の詳細情報に情報更新用ＵＲＬを格納する場合には、ＩＤ４０を参照して情報更新用ＵＲＬを取得する。
【０１９４】
ＵＲＬの一部を変更して情報更新用のＵＲＬとして取得する場合について説明する。
情報グループのＩＤ１０からＵＲＬを取得し、取得したＵＲＬの一部を所定の法則で変え、変えられたＵＲＬを情報更新用のＵＲＬとして取得する。
【０１９５】
ＵＲＬの一部としては、拡張子を挙げることができる。例えば、取得したＵＲＬの拡張子「．ｈｔｍｌ」を「．ｄｓｒｃ」に変える。
取得ＵＲＬ  ｈｔｔｐ：//ｗｗｗ．ｋ○○○．ｃｏ．ｊｐ/ｉｎｄｅｘ．ｈｔｍｌ
変更ＵＲＬ  ｈｔｔｐ：//ｗｗｗ．ｋ○○○．ｃｏ．ｊｐ/ｉｎｄｅｘ．ｄｓｒｃ
なお、拡張子は「．ｄｓｒｃ」に限らず、他のデータを容易に区別できるものであればこれに限らない。
【０１９６】
また、ＵＲＬの一部としては、ファイル名を挙げることができる。例えば、取得したＵＲＬのファイル名「ｉｎｄｅｘ．ｈｔｍｌ」を「ｕｐｄａｔｅ．ｔｃｌｎ」に変える。
取得ＵＲＬ  ｈｔｔｐ：//ｗｗｗ．ｋ○○○．ｃｏ．ｊｐ/ｉｎｄｅｘ．ｈｔｍｌ
変更ＵＲＬ  ｈｔｔｐ：//ｗｗｗ．ｋ○○○．ｃｏ．ｊｐ/ｕｐｄａｔｅ．ｔｃｌｎ
【０１９７】
制御部４は、情報更新用のＵＲＬを取得すると（ステップＳ１６１後）、当該取得したＵＲＬで指定されたファイル（情報更新用ファイル）を無線通信部５により外部ネットワークＮ２経由で取得する（ステップＳ１６２）。
【０１９８】
制御部４は、情報更新用ファイルを取得できたか否かを判別し（ステップＳ１６３）、情報更新用ファイルを取得できない場合（ステップＳ１６３；Ｎｏ）、「更新データを取得できませんでした。」等の更新用の情報グループの取得不可を示すメッセージを表示部１ｅの画面上にテキスト表示したり発話したりすることにより報知し（ステップＳ１６４）、本処理を終了する。
【０１９９】
制御部４は、情報更新用ファイルを取得できた場合（ステップＳ１６３；Ｙｅｓ）、ステップＳ１６５に進む。ステップＳ１６５〜Ｓ１７１は、図２７に示すステップＳ１５０〜Ｓ１５６と同様であるため、説明は省略する。
【０２００】
以上のように、本実施形態によれば、有効期限の情報が付加された配信情報を表示する際の利便性を高めることができる。
【図面の簡単な説明】
【０２０１】
【図１】実施の形態１における配信システムの構成図である。
【図２】路側無線装置及び路側エリアを説明するための図である。
【図３】配信情報のデータ構成例を示す図である。
【図４】各ＩＤの情報の概要を示す図である。
【図５】実施の形態１における車載器の構成図である。
【図６】実施の形態１の表示処理のフローチャートである。
【図７】ステップＳ４及びステップＳ５において表示される画面の例を示す図である。
【図８】ステップＳ７及びステップＳ５において表示される画面の例を示す図である。
【図９】実施の形態２の表示処理のフローチャートである。
【図１０】第１報知画面の例を示す図である。
【図１１】図１１に、ステップＳ２０において表示される第２報知画面の例を示す。
【図１２】管理データベースの例を示す図である。
【図１３】実施の形態３の表示処理のフローチャートである。
【図１４】実施の形態３の表示処理のフローチャートである（図１３の続き）。
【図１５】第３報知画面の例を示す図である。
【図１６】第４報知画面の例を示す図である。
【図１７】ステップＳ３５；Ｙｅｓ以降の実施の形態４の表示処理のフローチャートである。
【図１８】第５報知画面の例を示す図である。
【図１９】ステップＳ３５；Ｙｅｓ以降の実施の形態５の表示処理のフローチャートである。
【図２０】削除可否判定処理のフローチャートである。
【図２１】削除可否判定処理の他のフローチャートである。
【図２２】記憶部に記憶されている情報グループの階層構造の例を示す図である。
【図２３】実施の形態６における配信システムの構成図である。
【図２４】実施の形態６の表示処理のフローチャートである。
【図２５】第６報知画面の例を示す図である。
【図２６】情報取得処理のフローチャートである。
【図２７】情報更新処理のフローチャートである。
【図２８】情報更新処理の他のフローチャートである。
【符号の説明】
【０２０２】
１  カーナビ部
１ａ  カーナビ制御部
１ｂ  現在地検出部
１ｃ  地図記憶部
１ｄ  入力部
１ｅ  表示部
１ｆ  記憶部
１ｇ  音声出力部
２  通信モジュール
３  ＤＳＲＣ部
３ａ  ＤＳＲＣ制御部
３ｂ  通信部
３ｃ  記憶部
３ｄ  ＥＴＣ処理部
３ｅ  ＩＣカードＩ／Ｆ
４  制御部
５  無線通信部
１０、５０  車載器
２０  路側無線装置
２０ａ  本体装置
２０ｂ  アンテナ
３０  センター装置
４０  無線通信アクセスポイント
１００、２００  配信システム
Ｂ１ａ、Ｂ２ａ、Ｂ４ａ、Ｂ６ａ  ＹＥＳボタン
Ｂ１ｂ、Ｂ２ｂ、Ｂ４ｂ、Ｂ６ｂ  ＮＯボタン
Ｂ３ａ、Ｂ５ａ  表示ボタン
Ｂ３ｂ、Ｂ５ｂ  削除ボタン
Ｂ３ｃ  戻るボタン
Ｃ  車両
Ｅ１１、Ｅ１２  コンテンツ再生領域
Ｇ１  第１報知画面
Ｇ２  第２報知画面
Ｇ３  第３報知画面
Ｇ４  第４報知画面
Ｇ５  第５報知画面
Ｇ６  第６報知画面
Ｍ１、Ｍ２、Ｍ３、Ｍ４、Ｍ５、Ｍ６、Ｍ１１、Ｍ１２  メッセージ領域
Ｎ１  ネットワーク
Ｎ２  外部ネットワーク
Ｚ  路側エリア
【図１】
0005119970.tif 000002
【図２】
0005119970.tif 000003
【図３】
0005119970.tif 000004
【図４】
0005119970.tif 000005
【図５】
0005119970.tif 000006
【図６】
0005119970.tif 000007
【図７】
0005119970.tif 000008
【図８】
0005119970.tif 000009
【図９】
0005119970.tif 000010
【図１０】
0005119970.tif 000011
【図１１】
0005119970.tif 000012
【図１２】
0005119970.tif 000013
【図１３】
0005119970.tif 000014
【図１４】
0005119970.tif 000015
【図１５】
0005119970.tif 000016
【図１６】
0005119970.tif 000017
【図１７】
0005119970.tif 000018
【図１８】
0005119970.tif 000019
【図１９】
0005119970.tif 000020
【図２０】
0005119970.tif 000021
【図２１】
0005119970.tif 000022
【図２２】
0005119970.tif 000023
【図２３】
0005119970.tif 000024
【図２４】
0005119970.tif 000025
【図２５】
0005119970.tif 000026
【図２６】
0005119970.tif 000027
【図２７】
0005119970.tif 000028
【図２８】
0005119970.tif 000029